(57)【要約】【課題】どこに合焦されたかをユーザが容易に特定することができる撮像装置を提供すること。【解決手段】本発明に係る撮像装置は、画像を撮像する撮像部と、撮像部の合焦位置を制御する合焦制御部と、撮像部が画像を撮像したときに合焦制御部が設定した合焦位置を含む予め定められた特定領域を、撮像部が撮像した画像において特定する領域特定部と、撮像部が撮像した画像を表示する表示部と、領域特定部が特定した特定領域を、他の領域より明るく表示させるべく、表示部を制御する表示制御部ととを備える。【選択図】図１
2008103944.tif 000002
【特許請求の範囲】
【請求項１】
画像を撮像する撮像部と、
前記撮像部の合焦位置を制御する合焦制御部と、
前記撮像部が画像を撮像したときに前記合焦制御部が設定した合焦位置を含む予め定められた特定領域を、前記撮像部が撮像した画像において特定する領域特定部と、
前記撮像部が撮像した画像を表示する表示部と、
前記領域特定部が特定した特定領域を、他の領域より明るく表示させるべく、前記表示部を制御する表示制御部と
を備える撮像装置。
【請求項２】
前記合焦制御部は、
前記撮像部が撮像する画像における複数の合焦点において、前記撮像装置から被写体までの距離を算出する被写体距離算出部と、
前記被写体距離算出部が算出した前記複数の合焦点における被写体までの距離に基づいて、前記複数の合焦点から１つの合焦点を選択する合焦点選択部と、
前記合焦点選択部が選択した合焦点に前記撮像部の合焦位置を調整する合焦位置調整部と
を有し、
前記領域特定部は、前記複数の合焦点のうち、前記合焦点選択部が選択した合焦点における被写体までの距離と、前記複数の合焦点における被写体までの距離との差が、予め定められた範囲内である合焦点を含む予め定められた領域を特定領域としてさらに特定し、
前記表示制御部は、前記領域特定部が特定した複数の特定領域を、他の領域より明るく表示させる
請求項１に記載の撮像装置。
【請求項３】
前記領域特定部は、前記複数の特定領域の合計の面積が予め定められた面積以下にすべく、前記複数の特定領域の範囲を決定する
請求項２に記載の撮像装置。
【請求項４】
前記撮像部が画像を撮像したときに前記合焦制御部が設定した合焦位置を含むオブジェクトの領域を、前記撮像部が撮像した画像から抽出するオブジェクト領域抽出部
をさらに備え、
前記領域特定部は、前記オブジェクト領域抽出部が抽出したオブジェクトの領域を特定領域として特定する
請求項１に記載の撮像装置。
【請求項５】
前記オブジェクト領域抽出部は、前記撮像部が画像を撮像したときに前記合焦制御部が設定した合焦位置を含む人物の領域を、前記撮像部が撮像した画像から抽出し、
前記領域特定部は、前記オブジェクト領域抽出部が抽出した人物の領域を特定領域として特定する
請求項４に記載の撮像装置。
【請求項６】
前記撮像装置を駆動するための電力を供給する電池を有する電池部
をさらに備え、
前記領域特定部は、前記電池部の電池残量がより少ない場合に、特定領域の面積をより小さく特定する
請求項１に記載の撮像装置。
【請求項７】
前記表示制御部は、前記他の領域において特定領域により近い部分をより明るく表示させるべく前記表示部を制御する
請求項１に記載の撮像装置。
【請求項８】
前記表示部は、
光を発光するバックライト部と、
前記バックライトが発光する光を透過させて画像を表示する液晶部と
を有し、
前記表示制御部は、前記領域特定部が特定した特定領域の画像内容が前記液晶部に表示される領域に前記バックライト部が発光する発光強度を、他の領域の画像内容が前記液晶部に表示される領域に前記バックライト部が発光する発光強度より大きく制御する
を備える
請求項１に記載の撮像装置。
【請求項９】
前記バックライト部は、前記液晶部の複数の領域にそれぞれ光を発光する複数の自発光素子を含み、
前記液晶部は、前記自発光素子が発光する光を透過させて画像を表示し、
前記表示制御部は、特定領域が前記液晶部に表示される領域に発光する前記自発光素子の発光強度を、他の前記自発光素子の発光強度より大きく制御する
請求項８に記載の撮像装置。
【請求項１０】
前記バックライト部は、前記液晶部の複数の領域にそれぞれ光を発光する複数のＬＥＤを含み、
前記液晶部は、前記ＬＥＤが発光する光を透過させて画像を表示し、
前記表示制御部は、特定領域が前記液晶部に表示される領域に発光する前記ＬＥＤの発光強度を、他の前記ＬＥＤの発光強度より大きく制御する
請求項８に記載の撮像装置。
【請求項１１】
前記表示部は、
画素毎に光を発光することによって画像を表示する複数の自発光素子
を有し、
前記表示制御部は、前記領域特定部が特定した特定領域に含まれる画素の光を発光する前記自発光素子の発光強度を、他の領域に含まれる画素の光を発光する前記自発光素子の発光強度より大きく制御する
を有する
請求項１に記載の撮像装置。
【請求項１２】
前記自発光素子は、有機ＥＬ素子である
請求項１１に記載の撮像装置。
【請求項１３】
画像を撮像する撮像部の合焦位置を制御する合焦制御段階と、
前記撮像部が画像を撮像したときに前記合焦制御段階において設定された合焦位置を含む予め定められた特定領域を、前記撮像部が撮像した画像において特定する領域特定段階と、
前記撮像部が撮像した画像を表示する表示段階と、
前記領域特定段階において特定された特定領域を、他の領域より明るく表示させるべく、前記表示部を制御する表示制御段階と
を備える撮像方法。
【請求項１４】
画像を撮像する撮像装置用のプログラムであって、当該撮像装置を、
画像を撮像する撮像部、
前記撮像部の合焦位置を制御する合焦制御部、
前記撮像部が画像を撮像したときに前記合焦制御部が設定した合焦位置を含む予め定められた特定領域を、前記撮像部が撮像した画像において特定する領域特定部、
前記撮像部が撮像した画像を表示する表示部、
前記領域特定部が特定した特定領域を、他の領域より明るく表示させるべく、前記表示部を制御する表示制御部
として機能させるプログラム。
【請求項１５】
撮像された画像を表示する表示装置であって、
前記画像が撮像されたときに設定された合焦位置を含む予め定められた特定領域を、前記画像において特定する領域特定部と、
前記画像を表示する表示部と、
前記領域特定部が特定した特定領域を、他の領域より明るく表示させるべく、前記表示部を制御する表示制御部と
を備える表示装置。
【請求項１６】
撮像された画像を表示する表示方法であって、
前記画像が撮像されたときに設定された合焦位置を含む予め定められた特定領域を、前記画像において特定する領域特定段階と、
前記領域特定段階において特定された特定領域を、他の領域より明るく表示させるべく、前記画像を表示する表示部を制御する表示制御段階と
を備える表示方法。
【請求項１７】
撮像された画像を表示する表示装置用のプログラムであって、当該表示装置を、
前記画像が撮像されたときに設定された合焦位置を含む予め定められた特定領域を、前記画像において特定する領域特定部、
前記画像を表示する表示部、
前記領域特定部が特定した特定領域を、他の領域より明るく表示させるべく、前記表示部を制御する表示制御部
として機能させるプログラム。
【発明の詳細な説明】
【技術分野】
【０００１】
本発明は、撮像装置、撮像方法、表示装置、表示方法、及びプログラムに関する。特に本発明は、画像を撮像する撮像装置及び撮像方法、撮像された画像を表示する表示装置及び表示方法、並びに撮像装置及び表示装置用のプログラムに関する。
【背景技術】
【０００２】
液晶表示装置において、動画表示時に画面の中央部と周辺部とで輝度差を設けて表示させる駆動方法が提案されている（例えば、特許文献１参照。）。
【特許文献１】特開２００３−１９５８３５号公報
【特許文献２】特開２００２−７２９９８号公報
【特許文献３】特開２００２−９８９５７号公報
【特許文献４】特開２００４−２９４７６４号公報
【発明の開示】
【発明が解決しようとする課題】
【０００３】
しかしながら、特許文献１に記載の液晶表示装置では、ユーザにとって重要な被写体が周辺部に位置している場合には、ユーザにその被写体を十分に視認させることができないという課題があった。
【０００４】
そこで本発明は、上記課題を解決することができる撮像装置、撮像方法、表示装置、表示方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態における撮像装置は、画像を撮像する撮像部と、撮像部の合焦位置を制御する合焦制御部と、撮像部が画像を撮像したときに合焦制御部が設定した合焦位置を含む予め定められた特定領域を、撮像部が撮像した画像において特定する領域特定部と、撮像部が撮像した画像を表示する表示部と、領域特定部が特定した特定領域を、他の領域より明るく表示させるべく、表示部を制御する表示制御部ととを備える。
【０００６】
合焦制御部は、撮像部が撮像する画像における複数の合焦点において、撮像装置から被写体までの距離を算出する被写体距離算出部と、被写体距離算出部が算出した複数の合焦点における被写体までの距離に基づいて、複数の合焦点から１つの合焦点を選択する合焦点選択部と、合焦点選択部が選択した合焦点に撮像部の合焦位置を調整する合焦位置調整部とを有し、領域特定部は、複数の合焦点のうち、合焦点選択部が選択した合焦点における被写体までの距離と、複数の合焦点における被写体までの距離との差が、予め定められた範囲内である合焦点を含む予め定められた領域を特定領域としてさらに特定し、表示制御部は、領域特定部が特定した複数の特定領域を、他の領域より明るく表示させてよい。
【０００７】
領域特定部は、複数の特定領域の合計の面積が予め定められた面積以下にすべく、複数の特定領域の範囲を決定してよい。
【０００８】
撮像部が画像を撮像したときに合焦制御部が設定した合焦位置を含むオブジェクトの領域を、撮像部が撮像した画像から抽出するオブジェクト領域抽出部をさらに備え、領域特定部は、オブジェクト領域抽出部が抽出したオブジェクトの領域を特定領域として特定してよい。
【０００９】
本発明の第２の形態における撮像方法は、画像を撮像する撮像部の合焦位置を制御する合焦制御段階と、撮像部が画像を撮像したときに合焦制御段階において設定された合焦位置を含む予め定められた特定領域を、撮像部が撮像した画像において特定する領域特定段階と、撮像部が撮像した画像を表示する表示段階と、領域特定段階において特定された特定領域を、他の領域より明るく表示させるべく、表示部を制御する表示制御段階とを備える。
【００１０】
本発明の第３の形態によると、画像を撮像する撮像装置用のプログラムであって、撮像装置を、画像を撮像する撮像部、撮像部の合焦位置を制御する合焦制御部、撮像部が画像を撮像したときに合焦制御部が設定した合焦位置を含む予め定められた特定領域を、撮像部が撮像した画像において特定する領域特定部、撮像部が撮像した画像を表示する表示部、領域特定部が特定した特定領域を、他の領域より明るく表示させるべく、表示部を制御する表示制御部として機能させる。
【００１１】
本発明の第４の形態によると、撮像された画像を表示する表示装置であって、画像が撮像されたときに設定された合焦位置を含む予め定められた特定領域を、画像において特定する領域特定部と、画像を表示する表示部と、領域特定部が特定した特定領域を、他の領域より明るく表示させるべく、表示部を制御する表示制御部とを備える。
【００１２】
本発明の第５の形態によると、撮像された画像を表示する表示方法であって、画像が撮像されたときに設定された合焦位置を含む予め定められた特定領域を、画像において特定する領域特定段階と、領域特定段階において特定された特定領域を、他の領域より明るく表示させるべく、画像を表示する表示部を制御する表示制御段階とを備える。
【００１３】
本発明の第６の形態によると、撮像された画像を表示する表示装置用のプログラムであって、当該表示装置を、画像が撮像されたときに設定された合焦位置を含む予め定められた特定領域を、画像において特定する領域特定部、画像を表示する表示部、領域特定部が特定した特定領域を、他の領域より明るく表示させるべく、表示部を制御する表示制御部として機能させる。
【００１４】
なお、上記の発明の概要は、本発明の必要な特徴の全てを列挙したものではなく、これらの特徴群のサブコンビネーションもまた、発明となりうる。
【発明の効果】
【００１５】
本発明によれば、ユーザは合焦された領域を一目で判断することができる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、一実施形態に係る撮像装置１００がモニタに表示する表示内容の一例を示す。撮像装置１００は、ユーザによってレリーズボタンが半押しされた時の撮像範囲の所定の合焦点１４０の被写体に合焦させる。そして、撮像装置１００は、ユーザによってレリーズボタンが全押しされると、合焦点１４０に合焦させた状態で被写体を撮像する。そして、撮像装置１００は、撮像装置１００の表示部１２０に、撮像された画像を表示する。このとき、撮像装置１００は、画像における合焦点１４０を中心とする予め定められた領域１５０を、他の領域よりも明るく表示する。撮像装置１００が合焦点１４０を含む領域を明るく表示することによって、ユーザは、どこに合焦されたかを容易に特定することができるとともに、実際に正しく合焦されたか否かを容易に判別することができる。
【００１８】
図２は、撮像装置１００のブロック構成の一例を示す。撮像装置１００は、表示部１２０、撮像部２１０、指示入力部２００、合焦制御部２２０、オブジェクト領域抽出部２３０、領域特定部２４０、表示制御部２５０、及び電池部２７０を備える。合焦制御部２２０は、被写体距離算出部２２２、合焦点選択部２２４、及び合焦位置調整部２２６を有する。
【００１９】
撮像部２１０は、画像を撮像する。合焦制御部２２０は、撮像部２１０の合焦位置を制御する。そして、領域特定部２４０は、撮像部２１０が画像を撮像したときに合焦制御部２２０が設定した合焦位置を含む予め定められた特定領域を、撮像部２１０が撮像した画像において特定する。そして、表示部１２０は、撮像部２１０が撮像した画像を表示する。そして、表示制御部２５０は、領域特定部２４０が特定した特定領域を、他の領域より明るく表示させるべく、表示部１２０を制御する。
【００２０】
具体的には、被写体距離算出部２２２は、撮像部２１０が撮像する画像における複数の合焦点において、撮像装置１００から被写体までの距離を算出する。そして、合焦点選択部２２４は、被写体距離算出部２２２が算出した複数の合焦点における被写体までの距離に基づいて、複数の合焦点から１つの合焦点を選択する。そして、合焦位置調整部２２６は、合焦点選択部２２４が選択した合焦点に撮像部２１０の合焦位置を調整する。そして、領域特定部２４０は、複数の合焦点のうち、合焦点選択部２２４が選択した合焦点における被写体までの距離と、複数の合焦点における被写体までの距離との差が、予め定められた範囲内である合焦点を含む予め定められた領域を特定領域としてさらに特定する。そして、表示制御部２５０は、領域特定部２４０が特定した複数の特定領域を、他の領域より明るく表示させる。このため、例えば、撮像装置１００は、合焦制御部２２０が実際に合焦させた合焦点以外に、十分に鮮明に写っている領域を他の領域より明るく表示することができる。
【００２１】
なお、領域特定部２４０は、複数の特定領域の合計の面積が予め定められた面積以下にすべく、複数の特定領域の範囲を決定する。また、領域特定部２４０は、複数の特定領域の合計の面積を、他の複数の合焦点において決定された複数の特定領域の合計の面積と略等しくすべく、複数の特定領域の範囲を決定してよい。
【００２２】
また、オブジェクト領域抽出部２３０は、撮像部２１０が画像を撮像したときに合焦制御部２２０が設定した合焦位置を含むオブジェクトの領域を、撮像部２１０が撮像した画像から抽出する。例えば、オブジェクト領域抽出部２３０は、撮像部２１０が撮像した画像から、合焦位置を含むオブジェクトの領域をエッジ抽出によって抽出する。そして、領域特定部２４０は、オブジェクト領域抽出部２３０が抽出したオブジェクトの領域を特定領域として特定する。
【００２３】
具体的には、オブジェクト領域抽出部２３０は、撮像部２１０が画像を撮像したときに合焦制御部２２０が設定した合焦位置を含む人物の領域を、撮像部２１０が撮像した画像から抽出する。具体的には、オブジェクト領域抽出部２３０は、予め定められた人物の形状を示すテンプレートと、画像からエッジ抽出によって抽出されたオブジェクトの輪郭とのテンプレートマッチングによって、合焦位置を含む人物の領域を抽出してよい。そして、領域特定部２４０は、オブジェクト領域抽出部２３０が抽出した人物の領域を特定領域として特定する。
【００２４】
また、オブジェクト領域抽出部２３０は、撮像部２１０が画像を撮像したときに合焦制御部２２０が設定した合焦位置を含む人物の顔の領域を、撮像部２１０が撮像した画像から抽出する。具体的には、オブジェクト領域抽出部２３０は、予め定められた目、口、鼻などの顔に含まれるオブジェクトの形状を表すテンプレートと、画像からエッジ抽出によって抽出されたオブジェクトの輪郭とのテンプレートマッチングによって、合焦位置を含む人物の顔の領域を抽出する。そして、領域特定部２４０は、オブジェクト領域抽出部２３０が抽出した人物の顔の領域を特定領域として特定する。このような制御により、撮像装置１００は、例えば人物の領域のみ、人物の顔の領域のみを、他の領域より明るく表示することができる。
【００２５】
電池部２７０は、撮像装置１００を駆動するための電力を供給する電池を有する。そして、領域特定部２４０は、電池部２７０の電池残量がより少ない場合に、特定領域の面積をより小さく特定してよい。
【００２６】
なお、表示制御部２５０は、他の領域において、特定領域により近い部分をより明るく表示させるべく表示部１２０を制御してよい。このように制御すると、他の領域から特定領域にかけて徐々に明るく表示されるので、ユーザは違和感なく特定領域を視認することができる。
【００２７】
表示部１２０は、光を発光するバックライト部と、バックライトが発光する光を透過させて画像を表示する液晶部とを有する。この場合、表示制御部２５０は、領域特定部２４０が特定した特定領域の画像内容が液晶部に表示される領域にバックライト部が発光する発光強度を、他の領域の画像内容が液晶部に表示される領域にバックライト部が発光する発光強度より大きく制御する。
【００２８】
具体的には、バックライト部は、液晶部の複数の領域にそれぞれ光を発光する複数の自発光素子を含む。液晶部は、自発光素子が発光する光を透過させて画像を表示する。そして、表示制御部２５０は、特定領域が液晶部に表示される領域に発光する自発光素子の発光強度を、他の自発光素子の発光強度より大きく制御する。自発光素子は、有機ＥＬ素子であってよい。このように、特定領域の細かく制御することができる。
【００２９】
バックライト部は、液晶部の複数の領域にそれぞれ光を発光する複数のＬＥＤを含んでよい。この場合、液晶部は、ＬＥＤが発光する光を透過させて画像を表示する。表示制御部２５０は、特定領域が液晶部に表示される領域に発光するＬＥＤの発光強度を、他のＬＥＤの発光強度より大きく制御する。
【００３０】
また、表示部１２０は、画素毎に光を発光することによって画像を表示する複数の自発光素子を有してよい。この場合、表示制御部２５０は、領域特定部２４０が特定した特定領域に含まれる画素の光を発光する自発光素子の発光強度を、他の領域に含まれる画素の光を発光する自発光素子の発光強度より大きく制御する。自発光素子は、有機ＥＬ素子であってよい。なお、表示部１２０の構成の詳細については、図３から図５に関連して説明する。
【００３１】
なお、撮像装置１００が備える構成要素のうち、領域特定部２４０、表示部１２０、及び表示制御部２５０は、撮像された画像を表示する表示装置として提供することが可能である。この場合、領域特定部２４０は、画像が撮像されたときに設定された合焦位置を含む予め定められた特定領域を、画像において特定する。具体的には、領域特定部２４０は、画像に対応づけて当該画像の合焦位置を取得して、合焦位置を含む予め定められた特定領域を、画像において特定する。そして、表示部１２０は、画像を表示する。このとき、表示制御部２５０は、領域特定部２４０が特定した特定領域を、他の領域より明るく表示させるべく、表示部１２０を制御する。また、このような表示装置は、オブジェクト領域抽出部２３０及び電池部２７０を備えることができることは言うまでもない。また、このような表示装置は、携帯カメラ、カメラ機能付携帯電話のような、カメラ機能を有する小型端末に使用することができる。
【００３２】
図３は、表示部１２０の一例を示す。表示部１２０は、液晶部３００及びバックライト部３２０を有する。バックライト部３２０は、基板３３０上に設けられた複数のＬＥＤ３１０ａ〜ｅ（以後、ＬＥＤ３１０と総称する）を含む。液晶部３００は、ＬＥＤ３１０からの光の透過量を制御することによって、ユーザに画像を視認させる。このとき、表示制御部２５０は、合焦位置を含む特定領域の光を発光するＬＥＤ３１０ａ〜ｃの発光強度を、他のＬＥＤ３１０ｄ及びｅの発光強度より大きくする。なお、表示制御部２５０は、合焦位置を含む特定領域の光を発光するＬＥＤ３１０ａ〜ｃの発光強度を上げることによって、ＬＥＤ３１０ａ〜ｃの発光強度をＬＥＤ３１０ｄ及びｅの発光強度より大きくしてもよいし、ＬＥＤ３１０ｄ及びｅの発光強度を低下させることによって、ＬＥＤ３１０ａ〜ｃの発光強度をＬＥＤ３１０ｄ及びｅの発光強度より大きくしてもよい。
【００３３】
図４は、表示部１２０の他の一例を示す。表示部１２０は、液晶部４００及びバックライト部４２０を有する。バックライト部４２０は、基板４３０に形成された複数の有機ＥＬ素子４１０ａ〜ｅ（以後、有機ＥＬ素子４１０と総称する）を含む。液晶部４００は、有機ＥＬ素子４１０からの光の透過量を制御することによって、ユーザに画像を視認させる。このとき、表示制御部２５０は、合焦位置を含む特定領域の光を発光する有機ＥＬ素子４１０ａ〜ｃの発光強度を、他の有機ＥＬ素子４１０ｄ及びｅの発光強度より大きくする。なお、表示制御部２５０は、合焦位置を含む特定領域の光を発光する有機ＥＬ素子４１０ａ〜ｃの発光強度を上げることによって、有機ＥＬ素子４１０ａ〜ｃの発光強度を有機ＥＬ素子４１０ｄ及びｅの発光強度より大きくしてもよいし、有機ＥＬ素子４１０ｄ及びｅの発光強度を低下させることによって、有機ＥＬ素子４１０ａ〜ｃの発光強度を有機ＥＬ素子４１０ｄ及びｅの発光強度より大きくしてもよい。
【００３４】
なお、有機ＥＬ素子４１０はこの発明における自発光素子の一例であり、自発光素子とは有機ＥＬ素子に限られるものではない。このように、有機ＥＬ素子をバックライト部４２０の発光素子として使用することによって、特定領域の範囲及び明るさを微細に制御することができる。このため、ユーザに対する特定領域の視認性を著しく改善することができる。また、画素毎に明るさを制御することで不要な領域まで明るくせずに済むので、電力を無駄に消費することを未然に防ぐことができる。
【００３５】
なお、表示制御部２５０は、８ビットのデジタルデータで定義される指示値によって、発光領域及び輝度値をバックライト部４２０に指示する。また、バックライト部４２０の駆動パターンは、表示制御部２５０におけるバックライト部４２０を制御する回路内にルックアップテーブルとして保持されてよい。そして、表示制御部２５０は、バックライト部４２０の駆動パターンを、合焦点の位置を含む合焦情報、周辺における照度情報、画像内容等の外部要因に基づいて適宜切り替えてよい。なお、領域特定部２４０が、特定領域の面積とその他の領域の面積との比が１：２となる特定領域を特定しており、表示制御部２５０が特定領域及び他の領域の輝度値をそれぞれ１２０％及び５０％としたとすると、全体の輝度値は７３％になる。したがって、撮像装置１００によると、電力削減を達成しつつ、ユーザにとって重要な特定領域を通常の２０％増しの輝度で表示することができ、視認性も向上させることができる。
【００３６】
図５は、表示部１２０の更なる他の一例を示す。表示部１２０は、複数の有機ＥＬ素子５１０ａ〜ｅ（以後、有機ＥＬ素子４１０と総称する）を有する。有機ＥＬ素子５１０のそれぞれは、複数の色成分のうちのいずれかの色の光を発光する。複数の色成分のすべての色の光を発光する１組の有機ＥＬ素子５１０が発光することで、画像における１画素の色が表現される。そして、撮像された画像を表示部１２０が表示する場合に、表示制御部２５０は、合焦位置を含む特定領域の画素の光を発光する有機ＥＬ素子５１０ａ〜ｃの発光強度を、他の領域の画素の光を発光する有機ＥＬ素子５１０ｄ及びｅの発光強度より大きくする。なお、表示制御部２５０は、合焦位置を含む特定領域の画素の光を発光する有機ＥＬ素子５１０ａ〜ｃの発光強度を上げることによって、有機ＥＬ素子５１０ａ〜ｃの発光強度を有機ＥＬ素子５１０ｄ及びｅの発光強度より大きくしてもよいし、有機ＥＬ素子５１０ｄ及びｅの発光強度を低下させることによって、有機ＥＬ素子５１０ａ〜ｃの発光強度を有機ＥＬ素子５１０ｄ及びｅの発光強度より大きくしてもよい。
【００３７】
このように、有機ＥＬ素子を表示部１２０の画素素子として使用することによって、特定領域の範囲を微細に制御することができる。このため、ユーザに対する特定領域の視認性を著しく改善するとともに、省電力化を達成することができる。なお、有機ＥＬ素子５１０はこの発明における自発光素子の一例であり、自発光素子とは有機ＥＬ素子に限られるものではない。
【００３８】
図６は、表示制御部２５０が表示部１２０に明るく表示させる特定領域の一例を示す。本図の例では、例えば合焦制御部２２０が合焦点６００の被写体に合焦させて撮像した画像において、領域特定部２４０が合焦点６００の他に合焦点６２０を含む領域も特定領域として特定している。例えば、領域特定部２４０は、合焦点６００の被写体までの距離が合焦点６２０の被写体までの距離とが略同一である場合に、合焦点６００の他に合焦点６２０を含む領域も特定領域として特定する。このとき、領域特定部２４０は、合焦点６００について予め定められた領域と、合焦点６２０について予め定められた領域とを合わせた、境界線６５０によって表される領域を特定領域として特定する。
【００３９】
図７は、表示制御部２５０が表示部１２０に明るく表示させる特定領域の他の一例を示す。本図は、図６と同様に、領域特定部２４０が合焦点６００及び６２０を含む領域を特定領域として特定した場合の特定領域の一例を示す。本図の例では、領域特定部２４０は、図６で示す特定領域と比較して特定領域の範囲を狭めている。
【００４０】
なお、領域特定部２４０は、特定領域の合計の面積が、特定領域に含ませるべき合焦点の数に応じて予め定められた面積に略等しくなるよう、特定領域の範囲を特定してもよい。特定領域に含ませるべき合焦点の数が多くなり、表示部１２０の大半が明るく制御されてしまうと、特定領域を他の領域より効果的に視認させるという効果が得られない。しかしながら、領域特定部２４０が、合焦点の数に応じて定められた所定の面積になるよう特定領域の範囲を制限することによって、特定領域を他の領域より効果的に視認させることができる。
【００４１】
他にも、領域特定部２４０は、電池部２７０の電池残量に応じて特定領域の面積を制御してよい。例えば、領域特定部２４０は、電池部２７０の電池残量がより少ない場合に、特定領域がより小さくなるよう特定領域の範囲を定めてよい。領域特定部２４０は、電池残量が少なくなった場合には特定領域の面積をより小さくことによって、電池の電力が消耗するスピードを低減することができる。また、表示制御部２５０は、電池部２７０の電池残量がより少ない場合には、特定領域の明るさが保たれ、特定領域以外の領域が暗くなるよう、表示部１２０を制御してもよい。
【００４２】
図８は、表示制御部２５０が表示部１２０に明るく表示させる特定領域の更なる他の一例を示す。領域特定部２４０は、合焦制御部２２０が合焦点６００の被写体に合焦させて撮像した画像において、合焦点６００に含まれる被写体８１０が人物である場合に、当該人物の領域を特定領域として特定する。例えば、オブジェクト領域抽出部２３０は、エッジ抽出によって、合焦点６００を含む被写体の輪郭８５０を抽出する。そして、領域特定部２４０は、オブジェクト領域抽出部２３０が抽出した輪郭を、予め定められた人物のパターンとパターンマッチングして、予め定められた一致度以上の一致度が得られた場合に、当該輪郭８５０で囲まれる領域を、特定領域として決定する。
【００４３】
図９は、表示制御部２５０が表示部１２０に明るく表示させる特定領域の更なる他の一例を示す。本図の例では、領域特定部２４０は、合焦制御部２２０が合焦点６００の被写体に合焦させて撮像した画像において、合焦点６００を含む、輪郭線９５０内の領域を、特定領域として特定しているとする。この場合、表示制御部２５０は、輪郭線９５１と輪郭線９５０とで囲まれる領域の明るさが、輪郭線９５２と輪郭線９５１とで囲まれる領域の明るさより明るくなるよう、表示部１２０を制御する。また、表示制御部２５０は、輪郭線９５２と輪郭線９５１とで囲まれる領域の明るさが、輪郭線９５２より外側の領域の明るさより明るくなるよう、表示部１２０を制御する。
【００４４】
このように、表示制御部２５０が特定領域から離れるにつれて段階的に暗くなるよう表示部１２０の明るさを制御することによって、ユーザは特定領域を容易に視認できる。なお、本図の例では、表示制御部２５０が特定領域の外側の複数の領域毎に、明るさをステップ状に変化させるよう制御する場合を例に挙げて説明したが、特定領域から離れるにつれて次第に暗くなるよう、表示制御部２５０が表示部１２０の明るさを画素毎に制御してよいことは言うまでもない。
【００４５】
図１０は、撮像装置１００に係るコンピュータ１５００のハードウェア構成の一例を示す。コンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４６】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００４７】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、コンピュータ１５００内のＣＰＵ１５０５が使用するプログラム、及びデータを格納する。通信インターフェイス１５３０は、ネットワークを介して撮像装置１００と通信し、撮像装置１００にプログラム、及びデータを提供する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００４８】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００４９】
ＲＡＭ１５２０を介して通信インターフェイス１５３０に提供されるプログラムは、フレキシブルディスク１５９０、ＣＤ−ＲＯＭ１５９５、またはＩＣカード等の記録媒体に格納されて利用者によって提供される。プログラムは、記録媒体から読み出され、ＲＡＭ１５２０を介して通信インターフェイス１５３０に提供され、ネットワークを介して撮像装置１００に送信される。撮像装置１００に送信されたプログラムは、撮像装置１００においてインストールされて実行される。
【００５０】
撮像装置１００にインストールされて実行されるプログラムは、撮像装置１００を、図１から図９に関連して説明した表示部１２０、撮像部２１０、指示入力部２００、合焦制御部２２０、オブジェクト領域抽出部２３０、領域特定部２４０、表示制御部２５０、及び電池部２７０として機能させる。また、当該プログラムは、合焦制御部２２０を、図１から図９に関連して説明した被写体距離算出部２２２、合焦点選択部２２４、及び合焦位置調整部２２６として機能させる。
【００５１】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをコンピュータ１５００に提供してもよい。
【００５２】
また、コンピュータ１５００は、撮像装置１００に代えて、図２に関連して説明した表示装置と通信し、当該表示装置にプログラム、及びデータを提供する。そして、当該表示装置にインストールされて実行されるプログラムは、当該表示装置を、図２に関連して説明した表示部１２０、オブジェクト領域抽出部２３０、領域特定部２４０、表示制御部２５０、及び電池部２７０として機能させることができる。
【００５３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００５４】
【図１】撮像装置１００の利用環境の一例を示す図である。
【図２】撮像装置１００のブロック構成の一例を示す図である。
【図３】表示部１２０の一例を示す図である。
【図４】表示部１２０の他の一例を示す図である。
【図５】表示部１２０の更なる他の一例を示す図である。
【図６】特定領域の一例を示す図である。
【図７】特定領域の他の一例を示す図である。
【図８】特定領域の更なる他の一例を示す図である。
【図９】特定領域の更なる他の一例を示す図である。
【図１０】撮像装置１００に係るコンピュータ１５００のハードウェア構成の一例を示す図である。
【符号の説明】
【００５５】
１００  撮像装置
１２０  表示部
２１０  撮像部
２００  指示入力部
２２０  合焦制御部
２２２  被写体距離算出部
２２４  合焦点選択部
２２６  合焦位置調整部
２３０  オブジェクト領域抽出部
２４０  領域特定部
２５０  表示制御部
２７０  電池部
３００  液晶部
３２０  バックライト部
３１０  ＬＥＤ
３３０  基板
４００  液晶部
４１０  有機ＥＬ素子
４２０  バックライト部
４３０  基板
５１０  有機ＥＬ素子
【図１】
2008103944.tif 000003
【図２】
2008103944.tif 000004
【図３】
2008103944.tif 000005
【図４】
2008103944.tif 000006
【図５】
2008103944.tif 000007
【図６】
2008103944.tif 000008
【図７】
2008103944.tif 000009
【図８】
2008103944.tif 000010
【図９】
2008103944.tif 000011
【図１０】
2008103944.tif 000012